【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
導電性構造体中の反射体と電磁波のための前記導電性構造体の端部に設けられた射出箇所との間の距離を計算する距離測定装置（２）であって、
‐送受信装置を有し、前記送受信装置は、前記射出箇所のところに設けられていて、電磁波を導電性構造体中に射出すると共に前記反射体で反射された前記電磁波を前記導電性構造体から結合解除するために前記送受信装置を前記導電性構造体に同軸誘導結合する導通クロスオーバ（６）を備え、
‐前記射出箇所と前記反射体との間の距離を前記射出された電磁波と前記結合解除された電磁波の位相差から計算する分析装置を有する、距離測定装置。
【請求項２】
導電性構造体は、中空シリンダ（７）の形態をしており、前記中空シリンダ（７）は、空気圧若しくは油圧シリンダ又は測定シリンダの形態をしており、及び／又は、前記中空シリンダ（７）内には、反射体として働くピストン（３６，３８）が設けられている、請求項１記載の距離測定装置。
【請求項３】
前記導電性構造体中への電磁波の前記射出は、モノモーダル電磁波の形態で１ＭＨｚ〜１００ＧＨｚの周波数範囲で起こり、及び／又は、前記導電性構造体中への電磁波の前記射出は、好ましくは、Ｈ１１若しくはＥ０１モードで又は前記ＴＥＭモードでは同軸導電性構造体で起こり、前記Ｅ０１モードでの直線偏波電磁波を前記導通クロスオーバ（６）の導電性の誘導モード変換器（４）又は前記導通クロスオーバ（６）の２つ若しくは４つの導電性誘導モード変換器（４）によって前記導電性構造体中への同軸波の同相射出によって生じさせることができる、請求項１又は２に記載の距離測定装置。
【請求項４】
前記導通クロスオーバ（６）は、導電性誘導モード変換器（４）を有し、該変換器（４）により、水平又は垂直偏波電磁波を前記導電性構造体中に射出することができ、又は、前記導通クロスオーバ（６）は、前記端部の付近に設けられた円の円形経路にわたって互いに対して１８０°だけずらされた状態で配置されている２つの導電性誘導モード変換器（４）を有し、該変換器（４）により、互いに対して１８０°だけ位相ずれした直線偏波電磁波を前記導電性構造体中に射出することができ、又は、前記導通クロスオーバ（６）は、前記端部の付近に設けられた円の円形経路にわたって互いに対して９０°だけずらされた状態で配置されている２つの導電性誘導モード変換器（４）を有し、該変換器（４）により、垂直又は水平偏波電磁波を前記導電性構造体中に射出することができ、又は、前記導通クロスオーバ（６）は、前記端部の付近に設けられた円の円形経路にわたって互いに対して９０°だけずらされた状態で配置されている４つの導電性誘導モード変換器（４）を有し、互いに対して１８０°だけ位相ずれした垂直偏波電磁波を互いに対して１８０°だけずらされた２つのモード変換器（４）により前記導電性構造体中に平行に射出することができ、互いに対して１８０°だけ位相ずれした水平偏波電磁波を互いに対して１８０°だけずらされた２つのモード変換器（４）によって前記導電性構造体中に平行に射出することができ、該モード変換器（４）は、それぞれ、前記垂直偏波電磁波のための前記モード変換器（４）に対して９０°だけずらされており、又は、前記導通クロスオーバ（６）は、前記端部の付近に設けられた円の円形経路にわたって互いに対して９０°だけずらされた状態で配置された２つの導電性誘導モード変換器（４）を有し、該変換器（４）により、互いに対して９０°だけ位相ずれした直線偏波電磁波を前記導電性構造体中にそれぞれ射出することができ、又は、前記導通クロスオーバ（６）は、前記端部の付近に設けられた円の円形経路にわたり互いに対して９０°だけずらされた状態で配置されている４つの導電性誘導モード変換器（４）を有し、該変換器（４）により、円偏波電磁波を射出することができ、該変換器（４）は、例えばそれぞれ時計回りの方向に９０°だけ位相ずれされた状態で供給される、請求項１乃至３の何れか１項に記載の距離測定装置。
【請求項５】
前記モード変換器（４）は各々、機械的階段の形態をしており、前記機械的階段は、前記導電性構造体上での前記反射体の方向におけるステップ高さが減少した状態で配置され、又は、前記階段は各々、２つ（１６）、３つ（１８）、４つ（２０）又はそれ以上のステップを備えた状態で設計され、及び／又は、前記導通クロスオーバ（６）は、各モード変換器（４）と前記モード変換器（４）の前記機械的階段の最も高いステップの後面中に前記導電性構造体の端部上で挿入された同軸内側導体との間に設けられていて、前記送受信装置を前記導電性構造体に結合する接触部を有し、前記機械的階段の前記最も高いステップの後面と端部の形態をした前記導電性構造体のカバー後壁との間には、数ミリメートルの空間が設けられている、請求項３又は４に記載の距離測定装置。
【請求項６】
前記送受信装置は、各モード変換器（４）について、分岐線カプラと、前記分岐線カプラの下流側に設けられていて、３ｄＢ結合及び１８０°の位相回転がなされたカプラとを有し、及び／又は、前記送受信装置は、垂直偏波及び水平偏波を同時に受け取る２チャンネル受信器を有し、及び／又は、少なくとも１つの外側ピストン（３８）及び少なくとも１つの内側ピストン（３６）を備えた多ピストンシステムのための前記誘導モード変換器（４）は、前記外側ピストン（３８）又は前記内側ピストン（３６）と前記射出箇所との間の距離を検出するために前記外側ピストン（３８）により反射された電磁波と前記内側ピストン（３６）により反射された電磁波の両方を結合解除するよう設計され、及び／又は、前記反射体と前記モード変換器（４）との間には、前記導電性構造体の内周部全体にわたり好ましくはレキサン、ＰＰＳ４０又はテフロン（登録商標）で作られた誘電ディスク（２２，４０）が前記モード変換器（４）に隣接して設けられ、及び／又は、前記誘電ディスク（４０）は、中心が内側管（４２）を備え、減衰ピストンが前記内側管（４２）中に突入することができるようになっており、及び／又は、前記内側管（４２）は、金属で作られており、及び／又は、前記誘電ディスク（２２，４０）は、ピストン停止部として働き、及び／又は、前記導電性構造体中には、２つの四分円リング（１０，１２）として前記導電性構造体と協働するピストン停止部（１０，１２）が設けられている、請求項４又は５に記載の距離測定装置。
【請求項７】
導電性構造体内の反射体と前記導電性構造体の端部のところに設けられた電磁波のための射出箇所との間の距離を計算する方法であって、
‐前記射出箇所のところで同軸誘導導通クロスオーバ（６）を介して電磁波を前記導電性構造体中に射出するステップと、
‐前記反射体で反射された前記電磁波を前記導通クロスオーバ（６）により前記導電性構造体から結合解除するステップと、
‐前記射出箇所と前記反射体との間の距離を前記射出された電磁波と前記結合解除された電磁波との位相差から計算するステップとを有する、方法。
【請求項８】
前記電磁波は、Ｅ０１モード若しくはＨ１１モードで又は同軸導体構造体がＴＥＭモードの状態で前記導電性構造体中に射出され、及び／又は、種々の伝送周波数をもつ伝送信号が前記電磁波と共に射出され、及び／又は、前記伝送周波数は、前記伝送周波数相互間の差が広い測定範囲をカバーするために絶対値から小さい、例えば１％差であるように選択され、前記伝送周波数は、前記伝送周波数相互間の差が高い干渉抵抗レベルを達成するために絶対値で考えて大きく、例えば２０％差であるように選択され、前記電磁波により放射された伝送信号は、連続して放出され、及び／又は、ＣＷ信号の形態をした伝送信号が前記電磁波と一緒に射出され、及び／又は、垂直及び水平偏波を含む電磁波が並行して分析され、又は、円偏波を備えた反時計回り又は時計回りの電磁波は、分岐線カプラにより水平又は垂直偏波電磁波に変換される、請求項７記載の方法。
【請求項９】
円偏波を含む反射体での全反射により、回転方向の逆転が生じ、即ち、左円偏波が右円偏波になり又はその逆の関係が成り立ち、これにより、明確なピストン検出が可能になる、請求項８記載の方法。
【請求項１０】
前記距離測定装置は、前記導電性構造体の端部の形態をしており、及び／又は、前記距離測定装置は、前記導電性構造体に取り外し可能に取り付けられた状態で配置され、及び／又は、前記距離測定装置は、前記反射体の方へ向いた側部が、前記導電性構造体に設けられていて前記距離測定装置と協働する突出部により前記導電性構造体内に保持され、又は、前記距離測定装置は、前記反射体から遠ざかる方向へ向いた側部が、前記導電性構造体及び前記端部と協働するクランプリングによって前記導電性構造体内に保持され、及び／又は、前記距離測定装置は、前記導電性構造体及び前記端部と協働する少なくとも１本のロックピンにより前記導電性構造体内に保持されている、請求項１乃至６の何れか１項に記載の距離測定装置。
【請求項１１】
前記距離測定装置と前記導電性構造体との間にはシールが設けられ、前記シールは、密封リングの形態をしている、請求項１０記載の距離測定装置。
【請求項１２】
請求項１〜６、１０又は１１の何れか１項に記載の距離測定装置により導電性構造体を改造する方法であって、前記導電性構造体の端部の形態をしていて、前記反射体と反対側に位置したカバー後壁を前記導電性構造体から取り外し、端部の形態をした前記距離測定装置で置き換える、方法。